(57)【要約】【課題】複数の刷毛または櫛を有効に洗浄する洗浄器を提供する。【解決手段】複数の刷毛１または櫛が、配列支持具７によって等間隔に配列支持される。これら等間隔の間を、ブラシ群１５が相対的に往復動する。この往復動は、刷毛１または櫛を構成する毛３または歯５に対して、同じ方向に、接しながら、行なわれる。洗浄液４０は上方から供給され液排出口から排出される。配列支持具７は、複数の刷毛１または櫛を配列支持した状態で装置の密閉ケース１１の内部に着脱可能である。よって、複数の刷毛１または櫛を有効に洗浄できる。また、洗浄後の複数の刷毛１または櫛を、そのまま、使用現場に運ぶことができる。【選択図】図１
2011010783.tif 000002
【特許請求の範囲】
【請求項１】
複数の刷毛または櫛を等間隔に配列させ、これら刷毛または櫛を構成する毛または歯の方向は同じ方向とし、この方向と直交する方向に前記配列を行なう配列支持具と、前記複数の間隔の間を前記配列支持具に対して相対的に往復動するブラシ群と、前記相対的往復動を行なうために前記配列支持具または前記ブラシ群を往復動させる往復動機構と、前記配列された刷毛または櫛および前記ブラシ群へ洗浄液を上方から供給する液供給口と、前記供給された洗浄液を排出する液排出口と、前記配列支持具、ブラシ群、往復動機構、液供給口、および液排出口を内部に有する密閉ケースと、を有することを特徴とする刷毛櫛洗浄器。
【請求項２】
前記配列支持具は、下方に伸び前記等間隔に設けられる複数の支持脚を有し、この支持脚によって刷毛または櫛が、毛または歯の方向は同じ上または下方向に配列支持され、この配列支持が行なわれた状態で前記密閉ケースの内部に着脱可能に設けられ、前記ブラシ群が、これら支持脚間を往復動することを特徴とする請求項１に記載の刷毛櫛洗浄器。
【発明の詳細な説明】
【技術分野】
【０００１】
この発明は、複数の刷毛または櫛を洗浄する洗浄器の構造に関する。
【背景技術】
【０００２】
刷毛を洗浄する洗浄器には、例えば、下記特許文献１に記載の技術があり、容器内に刷毛を１本保持し、液を満たして洗浄する。
また、下記特許文献２には、洗浄対象は、刷毛や櫛ではなく箸であるが、多数本を洗浄水や洗浄用の刷毛を用いて、洗浄する洗浄器が記載される。
【先行技術文献】
【特許文献】
【０００３】
【特許文献１】特公平０４−７４００９
【特許文献２】特許２６６５４６４
【発明の概要】
【発明が解決しようとする課題】
【０００４】
しかしながら、上記特許文献１は、洗浄できる刷毛は１本であり、複数本の洗浄ができない。また、上記特許文献２は、刷毛や櫛の洗浄ができない。特に、理美容室で使用する刷毛や櫛は、施術に使用する薬剤が付着し、有効な洗浄ができない。
この発明は、以上の問題点を解決するために、複数の刷毛または櫛を有効に洗浄する洗浄器を提供することを目的とする。
【課題を解決するための手段】
【０００５】
以上の課題を解決するために、第一発明は、複数の刷毛または櫛を等間隔に配列させ、これら刷毛または櫛を構成する毛または歯の方向は同じ方向とし、この方向と直交する方向に前記配列を行なう配列支持具と、前記複数の間隔の間を前記配列支持具に対して相対的に往復動するブラシ群と、前記相対的往復動を行なうために前記配列支持具または前記ブラシ群を往復動させる往復動機構と、前記配列された刷毛または櫛および前記ブラシ群へ洗浄液を上方から供給する液供給口と、前記供給された洗浄液を排出する液排出口と、前記配列支持具、ブラシ群、往復動機構、液供給口、および液排出口を内部に有する密閉ケースと、を有することを特徴とする刷毛櫛洗浄器である。
【０００６】
第二発明は、さらに、前記配列支持具は、下方に伸び前記等間隔に設けられる複数の支持脚を有し、この支持脚によって刷毛または櫛が、毛または歯の方向は同じ上または下方向に配列支持され、この配列支持が行なわれた状態で前記密閉ケースの内部に着脱可能に設けられ、前記ブラシ群が、これら支持脚間を往復動することを特徴とする刷毛櫛洗浄器である。
【発明の効果】
【０００７】
第一、又は第二発明によれば、複数の刷毛または櫛が、配列支持具によって等間隔に配列支持される。これら複数の刷毛または櫛の等間隔の間を、ブラシ群が相対的に往復動する。この往復動は、刷毛または櫛を構成する毛または歯の方向と、同じ方向に、毛または歯に接しながら行なわれる。洗浄液は上方から供給され液排出口から排出される。よって、複数の刷毛または櫛を有効に洗浄できる。
【０００８】
さらに、第二発明によれば、配列支持具は、複数の刷毛または櫛を配列支持した状態で装置の密閉ケースの内部に着脱可能であり、洗浄前後の複数の刷毛または櫛を扱いやすい。特に、洗浄後の複数の刷毛または櫛を、そのまま、使用する現場に運ぶことができる。
【図面の簡単な説明】
【０００９】
【図１】（Ａ）は、この発明の一実施形態に係る刷毛櫛洗浄器の要部を透視した斜視図、（Ｂ）は、図１の洗浄対象である刷毛と櫛を兼ねる機能を有するものの図である。
【図２】図１の洗浄動作を説明するための正面図で、ブラシ群が下方に位置する。
【図３】図１の洗浄動作を説明するための正面図で、ブラシ群が上方に位置する。
【図４】図３の平面図である。
【図５】図１の刷毛櫛洗浄器の開閉動作を説明するための斜視図で、一部が透視されている。
【図６】（Ａ）は、図３のブラシ群を往復動させる往復動機構の要部拡大図、（Ｂ）は、（Ａ）の動作を説明する拡大図である。
【図７】図１のブラシをあらわす拡大斜視図である。
【図８】図１の刷毛または櫛を配列する配列支持具の働きを示す斜視図である。
【発明を実施するための形態】
【００１０】
この発明の実施形態を、図１〜図８に示す。
図１（Ｂ）に示すように、この実施形態における洗浄対象の刷毛１は、刷毛と櫛を兼ねる機能を有するもので、刷毛を構成する毛３と、櫛を構成する歯５とが背中合わせに形成される。
図１（Ａ）に示すように、この複数の刷毛１は、配列支持具７によって、等間隔に配列される。これら刷毛１を構成する毛３または歯５の方向は同じ上下方向とし、この上下方向と直交する左右方向に配列を行なう。
【００１１】
配列支持具７は、下方に伸び前記等間隔に設けられる複数の支持脚９を有する。この支持脚９によって刷毛１の毛３または歯５の方向は、刷毛１の１本おきに、上または下方向に、互い違いに配列支持される。配列支持具７は、この配列支持が行なわれた状態で、洗浄器の筐体である密閉ケース１１の内部に着脱可能に設けられる。
【００１２】
図５に示すように、密閉ケース１１の前面は、底のない引き出し部１３の形状をしており、この引き出し部１３に対して、配列支持具７が着脱可能に支持される。
刷毛１の複数の間隔の間を、配列支持具７に対して、すなわち刷毛１に対して、ブラシ群１５が上下に往復動する。ブラシ群１５は、配列支持具７の支持脚９間を往復動することで、刷毛１と刷毛１の間を往復動する。１本のブラシ１７は、隣り合う刷毛１と刷毛１に接触する位置に配置される。
図７に示すように、ブラシ１７は、そのブラシ毛１９が、長さを不揃いにし、反らせ、反りの方向をも不揃いにする。なお、図ではブラシ毛１９は一部のみが表現されている。
【００１３】
図２、図３、図４に示すように、ブラシ群１５の往復動は、往復動機構２１によって行なわれる。往復動しながら各ブラシ１７は回転する。この往復動機構２１は、往復動フレーム２３上にブラシ群１５を回転自在に支持し、各ブラシ１７は端部にギヤ２５を有し、隣り合うギヤ２５が互いに噛み合う。このようにして形成されるギヤ列の両端部には、駆動ギヤ２７と従動ギヤ２８が噛み合う（図６）。駆動ギヤ２７にはモーター２９が直結される（図４）。モーター２９には、耐水性のケーブル３１により、外部電源が接続される。駆動ギヤ２７と従動ギヤは、それぞれ、同軸に設けられたピニオンギヤ３２を介して、ガイドギヤ３３に噛み合う（図６（Ａ））。ガイドギヤ３３は、洗浄器の筐体側に固定されており、ラックギヤ３５が往復して２本配置され、各端部はＵ字状ラックギヤ３７で連結され、よってループ状に形成される。ループ状とすることで、駆動ギヤ２７の回転方向が同じままで、ループ状にそって往復動が行なわれる（図６（Ｂ））。往復動しながら、各ブラシ１７は回転する。
【００１４】
図２，図３に示すように、密閉ケース１１の内部の上方には液供給口３９が設けられ、供給管４１が連結され、配列された刷毛１およびブラシ群１５へ洗浄液４０を上方から供給する。密閉ケース１１の内部の底部には液排出口４２が設けられ、洗浄を終えた洗浄液４０を排出する。
ブラシ群１５、往復動機構２１、液供給口３９、および液排出口４２は、密閉ケース１１の内部に設けられる。
【００１５】
「実施形態の効果」
以上の実施形態によれば、複数の刷毛１は、配列支持具７によって等間隔に配列支持される。これら複数の刷毛１の等間隔の間を、ブラシ群１５が上下に往復動１６する。ブラシ１７の往復動は、刷毛１の毛３または歯５の方向と、同じ方向に行なわれ、毛３または歯５に対して、回転１８し接しながら行なわれる。また、洗浄液４０は上方から供給され液排出口から排出される。よって、複数の刷毛１を有効に洗浄できる。
【００１６】
さらに、配列支持具７は、複数の刷毛１を配列支持した状態で装置の密閉ケース１１の内部に着脱可能であり、よって洗浄前後の過程で、複数の刷毛１または櫛を扱いやすい。特に、図８に示すように、洗浄後の複数の刷毛１を、そのまま、使用する現場に運ぶことができる。
【００１７】
「他の実施形態」
以上の実施形態では、洗浄対象は、刷毛と櫛を兼ねる機能を有する特殊な刷毛であったが、他の実施形態では、複数の通常の刷毛のみを洗浄しても良いし、複数の櫛のみを洗浄しても良い。また、複数の刷毛と櫛を混在させて洗浄しても良い。あるいは、理美容室で、一度の施術に必要な複数の刷毛と櫛のセットを、一つの配列支持具７に支持させて洗浄しても良い。
【００１８】
以上の実施形態では、ブラシ群１５が往復動するものであったが、他の実施形態では、刷毛１や櫛を支持した状態の配列支持具７を往復動しても良い。
以上の実施形態では、配列支持具７は、下方に伸びる複数の支持脚９を有するもので、密閉ケース１１の上方に設けられるものあったが、他の実施形態では、上方に伸びる支持脚９を有するもので、密閉ケース１１の下方に設けられるものでもよい。
【００１９】
以上の実施形態では、洗浄を終えた洗浄液４０は排出されるものであったが、他の実施形態では、循環して使用されるものでも良い。
以上の実施形態では、配列支持具７は密閉ケース１１の内部に着脱可能に設けられるものであったが、他の実施形態では、着脱可能ではなく、あらかじめ固定されていても良い。この場合には、たとえば、密閉ケース１１をあけた状態で内部の配列支持具７へ、刷毛または櫛を１本ずつ支持させる作業を行なう。
【符号の説明】
【００２０】
１…刷毛、３…毛、５…歯、７…配列支持具、９…支持脚、１１…密閉ケース、１３…引き出し部、１５…ブラシ群、１７…ブラシ、１９…ブラシ毛、２１…往復動機構、２３…往復動フレーム、２５…ギヤ、２７…駆動ギヤ、２９…モーター、３１…ケーブル、３３…ガイドギヤ、３５…ラックギヤ、３７…Ｕ字状ラックギヤ、３９…液供給口、４１…供給管。
【図１】
2011010783.tif 000003
【図２】
2011010783.tif 000004
【図３】
2011010783.tif 000005
【図４】
2011010783.tif 000006
【図５】
2011010783.tif 000007
【図６】
2011010783.tif 000008
【図７】
2011010783.tif 000009
【図８】
2011010783.tif 000010